(57)【要約】【課題】プラテンガラスの面積を拡大して画像読取装置を全体的に大型化することなく、プラテンガラスの面積以上の原稿の読み取りが可能な画像読取装置を提供することを課題とする。【解決手段】読取載置台２０の上面に取り付けられたプラテンガラス２１と、該プラテンガラス２１を開閉自在に覆うプラテンカバー２２と、を備えた画像読取装置２であって、前記プラテンカバー２２の短手方向一側部に、長手方向長さがプラテンガラス２１の長手方向長さと略同じ長さの自動原稿読取装置２５を設け、該自動原稿読取装置２５は原稿をプラテンカバー２２の短手方向に取り込む構成とする。【選択図】  図２
2005333348.tif 000002
【特許請求の範囲】
【請求項１】
読取載置台の上面に取り付けられたプラテンガラスと、
該プラテンガラスを開閉自在に覆うプラテンカバーと、
を備えた画像読取装置であって、
前記プラテンカバーの短手方向一側部に、長手方向長さがプラテンガラスの長手方向長さと略同じ長さの自動原稿読取装置を設け、該自動原稿読取装置は原稿をプラテンカバーの短手方向に取り込む構成としたことを特徴とする原稿読取装置。
【請求項２】
前記読取載置台の長手方向一側部に操作部を設けたことを特徴とする請求項１に記載の原稿読取装置。
【請求項３】
前記読取載置台の短手方向の反自動原稿読取装置側の側部に操作部を設けたことを特徴とする請求項１に記載の原稿読取装置。
【発明の詳細な説明】
【技術分野】
【０００１】
本発明は、読取載置台の上面に取り付けられたプラテンガラスと、該プラテンガラスを開閉自在に覆うプラテンカバーと、該プラテンカバーの一側部に付設された自動原稿読取装置と、を備えた画像読取装置に関する。
【背景技術】
【０００２】
コピー機やファクシミリなどの画像読取記録装置の本体には画像読取装置と画像記録装置とが上下に配置されており、該画像読取装置はフラットベッドタイプのスキャナとして用いられるとともに、シートフィードタイプのスキャナとして用いられるものが公知となっている（例えば、特許文献１参照）。
【０００３】
図５から図７に示すように、小型の画像読取記録装置１０１の画像読取装置１０２は、装置本体１１０の上部に設けられた読取載置台１２０の上面にＡ４サイズの原稿と略同じ大きさのプラテンガラス１２１が取り付けられ、該読取載置台１２０の短手方向一側部に操作部１２９が設けられて、画像読取記録装置１０１は装置本体１１０の操作部１２９側に立つユーザーに対して横長に配置されている。読取載置台１２０の短手方向の奥側端部にはプラテンガラス１２１を覆うプラテンカバー１２２が開閉自在に取り付けられ、該プラテンカバー１２２の長手方向一側部に自動原稿読取装置（以下、ＡＤＦという）１２５が付設されている。このＡＤＦ１２５の取込口１２５ａからは給紙トレイ１２３がプラテンカバー１２２の長手方向へ向けて斜め上方へ延出されており、該給紙トレイ１２３の下方のプラテンカバー１２２の上面に排紙トレイ１２４が形成されている。
【０００４】
また、給紙トレイ１２３上にはプラテンカバー１２２の短手方向に対する両側部に一対の原稿ガイド１２６・１２６が設けられ、該一対の原稿ガイド１２６・１２６の一方又は両方がプラテンカバー１２２の短手方向へ摺動自在に構成されて、該原稿ガイド１２６・１２６間は最大でＡ４サイズ原稿の短辺幅に開くように構成されている。
【０００５】
そして、読取載置台１２０内の長手方向一側部には読取装置１２８がその長手方向をプラテンガラス１２１の短手方向に向けて配置されており、該読取装置１２８は読取載置台１２０内でプラテンガラス１２１の長手方向に走査するように構成されている。
【０００６】
以上のような構成で、前記画像読取装置１０２をフラットベッドタイプのスキャナとして用いるときには、前記プラテンガラス１２１上に原稿を載置して、前記読取装置１２８を読取載置台１２０内における長手方向一側部のホームポジションからプラテンガラス１２１の長手方向に走査させて読み取りを行い、シートフィードタイプのスキャナとして用いるときには、前記給紙トレイ１２３上にＡ４サイズの原稿をその短手方向をプラテンカバー１２２の短手方向に向けてセットし、該原稿の短辺側の先端をＡＤＦ１２５の取込口１２５ａに挿入して、前記読取装置１２８は読取載置台２０内の長手方向一側部のホームポジションに位置固定された状態で、該原稿を短辺側からＡＤＦ１２５内に取り込んで読み取りを行うように構成されている。
【０００７】
【特許文献１】特開平１１−２１５２９５号公報
【発明の開示】
【発明が解決しようとする課題】
【０００８】
しかしながら、前記画像読録装置１０２では、ＡＤＦ１２５でも、プラテンガラス１２１上でも、Ｂ４サイズ原稿やＡ３サイズ原稿などＡ４サイズ以上の原稿を読み取ることができず、これらＡ４サイズ以上の原稿の読み取りが可能な構成とするならば、図８に示すように、読取載置台上のプラテンガラスの面積を拡大して画像読取装置２０２を全体的に大型化して、画像読取記録装置２０１を大型化しなければならかった。
そこで、本発明では、この点を鑑み、プラテンガラスの面積を拡大して画像読取装置を全体的に大型化することなく、Ａ４サイズ以上の原稿の読み取りが可能な画像読取装置を提供することを課題とし、一般には、プラテンガラスの面積を拡大して画像読取装置を全体的に大型化することなく、プラテンガラスの面積以上の原稿の読み取りが可能な画像読取装置を提供することを課題とする。
【課題を解決するための手段】
【０００９】
本発明の解決しようとする課題は以上のとおりであり、次にこの課題を解決するための手段を説明する。
まず、請求項１に記載のように、読取載置台の上面に取り付けられたプラテンガラスと、該プラテンガラスを開閉自在に覆うプラテンカバーと、を備えた画像読取装置であって、前記プラテンカバーの短手方向一側部に、長手方向長さがプラテンガラスの長手方向長さと略同じ長さの自動原稿読取装置を設け、該自動原稿読取装置は原稿をプラテンカバーの短手方向に取り込む構成とする。
【００１０】
また、請求項２に記載のように、前記読取載置台の長手方向一側部に操作部を設けた構成とする。
【００１１】
あるいは、請求項３に記載のように、前記読取載置台の短手方向の反自動原稿読取装置側の側部に操作部を設けた構成とする。
【発明の効果】
【００１２】
本発明は、以上のように構成したことにより、次のような効果を奏する。
まず、請求項１に記載の発明では、プラテンガラスの面積を拡大して画像読取装置を全体的に大型化することなく、自動原稿読取装置で、その短手方向長さがプラテンガラスの長手方向長さと略同じ長さとなる大きさの原稿まで読み取りが可能となり、コンパクトな構成で利便性が向上する。
また、従来の画像読取装置の自動原稿読取装置でその画像読取装置のプラテンガラスと同サイズの原稿を読み取る場合、該原稿は長手方向に取り込まれて画像が読み取られるのに対し、本発明の画像読取装置の自動原稿読取装置でその画像読取装置のプラテンガラスと同サイズの原稿を読み取る場合は、該原稿は短手方向に取り込まれて画像が読み取られるので、従来に比べて読み取りにかかる時間が短縮され、処理速度が向上する。
【００１３】
また、請求項２に記載の発明では、請求項１に記載の発明と同様の効果を奏するとともに、画像読取装置を横幅の狭いスペースに置くことができる。
【００１４】
また、請求項３に記載の発明では、請求項１に記載の発明と同様の効果を奏するとともに、画像読取装置を奥行の狭いスペースに置くことができる。
【発明を実施するための最良の形態】
【００１５】
次に、本発明の実施の一形態を、図面を参照しながら説明する。
【００１６】
図１に示すように、コピー機やファクシミリなどの画像読取記録装置１の本体１０は給紙カセットを具備する給紙装置５上に載置固定されており、該装置本体１０には画像読取装置２と画像記録装置３とが上下に配置されて、該画像読取装置２はフラットベッドタイプのスキャナとして原稿を読み取るとともに、シートフィードタイプのスキャナとして原稿を読み取るように構成されている。
【００１７】
図１から図３に示すように、前記画像読取装置２は、装置本体１０の上部に設けられた読取載置台２０と、該読取載置台２０の上面一面に張られて取り付けられたＡ４サイズの原稿と略同じ大きさのプラテンガラス２１と、該読取載置台２０の長手方向の側端部又は短手方向の側端部に回動自在に支持されてプラテンガラス２１を開閉自在に覆うプラテンカバー２２と、読取載置台２０の長手方向一側部に設けられた操作部２９と、を備え、該画像読取装置２を有する画像読取記録装置１は、装置本体１０の操作部２９側に立つユーザーに対して縦長に配置されている。
【００１８】
前記プラテンガラス２１の長手方向長さはＡ４サイズ原稿の長辺幅若しくはＡ４サイズ原稿の長辺幅よりもやや長く形成され、該プラテンガラス２１の短手方向長さはＡ４サイズ原稿の短辺幅よりもやや長く形成されて、前記プラテンカバー２２のプラテンガラス２１と対向する側の面積はプラテンガラス２１よりも一回り大きく形成されている。
【００１９】
また、プラテンカバー２２の短手方向一側部には自動原稿読取装置（以下、ＡＤＦという）２５が付設されており、該ＡＤＦ２５の長手方向長さはプラテンガラス２１の長手方向長さと略同じ長さに構成されて、該ＡＤＦ２５は原稿をプラテンカバー２２の短手方向に取り込むように構成されている。
【００２０】
このＡＤＦ２５は、その取込口２５ａからプラテンカバー２２の短手方向へ向けて斜め上方へ延出された給紙トレイ２３と、該給紙トレイ２３上のプラテンカバー２２の長手方向に対する両側部に設けられた一対の原稿ガイド２６・２６と、を備え、該一対の原稿ガイド２６・２６の一方又は両方がプラテンカバー２２の長手方向へ摺動自在に構成されて、該原稿ガイド２６・２６間は最大でＡ４サイズ原稿の長辺幅に開くように構成されている。
また、ＡＤＦ２５で読み取りが行われた原稿が排出される排紙トレイ２４は、給紙トレイ２３の下方のプラテンカバー２２の上面に形成されている。
【００２１】
前記読取載置台２０内の短手方向一側部には読取装置２８がその長手方向をプラテンガラス２１の長手方向に向けて配置されており、該読取装置２８の長手方向長さはプラテンガラス２１の長手方向長さと略同じ長さに構成されて、該読取装置２８は読取載置台２０内でプラテンガラス２１の短手方向に走査するように構成されている。
【００２２】
以上のような構成で、画像読取装置２をフラットベッドタイプのスキャナとして用いるときには、プラテンガラス２１上に原稿を載置して、読取装置２８を読取装置２０内における短手方向一側部のホームポジションからプラテンガラス２１の短手方向へ走査させて読み取りを行うように構成されている。一方、画像読取装置２をシートフィードタイプのスキャナとして用いるときには、前記給紙トレイ２３上にＡ４サイズの原稿をその長手方向をプラテンカバー２２の長手方向に向けてセットし、該原稿の長辺側の先端をＡＤＦ２５の取込口２５ａに挿入して、読取装置２８は読取載置台２０内の短手方向一側部のホームポジションに位置固定された状態で、該原稿を長辺側からＡＤＦ２５内に取り込んで読み取りを行うように構成されている。
【００２３】
この構成によれば、プラテンガラス２１の面積を拡大して画像読取装置２を全体的に大型化することなく、ＡＤＦ２５で、その短手方向長さがプラテンガラス２１の長手方向長さと略同じ長さとなるＡ３サイズの大きさの原稿まで読み取りが可能となり、コンパクトな構成で利便性が向上する。
【００２４】
また、従来の画像読取装置１０２のＡＤＦ１２５でＡ４サイズの原稿を読み取る場合、該原稿は長手方向に取り込まれて画像が読み取られるのに対し、本発明の画像読取装置２のＡＤＦ２５でＡ４サイズの原稿を読み取る場合は、該原稿は短手方向に取り込まれて画像が読み取られるので、従来に比べて読み取りにかかる時間が短縮され、処理速度が向上する。
さらに、このプラテンガラス２１の面積の略２倍の面積の原稿も読み取り可能な画像読取装置２を有する画像読取記録装置１は横幅の狭いスペースにも置くことができる。
【００２５】
なお、表示パネルや各種操作キーを備えた操作部３０は、図４に示すように、前記読取載置台２０の短手方向の反ＡＤＦ２５側の側部に設けてもよく、この場合、このプラテンガラス２１の面積の略２倍の面積の原稿も読み取り可能な画像読取装置２を有する画像読取記録装置１は奥行の狭いスペースにも置くことができる。
【００２６】
以上、コピー機やファクシミリなどの画像読取記録装置１を例に挙げて本発明の一実施の形態を説明したが、本発明はＡＤＦを備えたスキャナなど画像読取装置単体にも適用することができる。
【図面の簡単な説明】
【００２７】
【図１】本発明に係る画像読取記録装置１の正面図。
【図２】本発明に係る画像読取記録装置１の平面図。
【図３】プラテンカバー２２を取り外した状態の本発明に係る画像読取記録装置１の平面図。
【図４】本発明の別実施形態に係る画像読取記録装置１の平面図。
【図５】従来の画像読取記録装置１０１の正面図。
【図６】従来の画像読取記録装置１０１の平面図。
【図７】プラテンカバー１２２を取り外した状態の従来の画像読取記録装置１０１の平面図。
【図８】従来のＡ３サイズの原稿を読み取ることができる画像読取記録装置２０１の平面図。
【符号の説明】
【００２８】
１    画像読取記録装置
４    定着器ユニット
７    ジャムアクセスカバー
４１    ヒートローラ
４２    プレスローラ
４３    第１フレーム
４３ｂ  基部受部
４４    第２フレーム
４４ｃ  第１案内溝
４４ｄ  第２案内溝
４４ｅ  面取り部
４４ｆ  面取り部
４９    共通軸
５０    ニップ解除レバー
５０ａ  頭部
５０ｂ  基部
５０ｃ  案内部
５０ｄ  当接部
５０ｅ  アーム部
５０ｆ  ニップ解除面
５０ｇ  ニップ面
５０ｈ  長孔
５２    コイルバネ
５３    バネ受け
７０    フレーム
７０ａ  第１係合部
７０ｂ  第２係合部
７０ｃ  案内部
【図１】
2005333348.tif 000003
【図２】
2005333348.tif 000004
【図３】
2005333348.tif 000005
【図４】
2005333348.tif 000006
【図５】
2005333348.tif 000007
【図６】
2005333348.tif 000008
【図７】
2005333348.tif 000009
【図８】
2005333348.tif 000010